(57)【要約】【課題】セット契約された通信回線による通信を保証する。【解決手段】  第１加入者情報（ＰＳＨ電番）によるＰＨＳ回線を使用した通信と、第２加入者情報（３Ｇ電番）による３Ｇ回線を使用した通信との組み合わせによるセット契約の対象とされた携帯端末装置１００を対象とし、ユーザによる交換ができない固定記憶手段に第１加入者情報を記憶し、セット契約による第２加入者情報の少なくとも一部を確認情報（３Ｇ電番）として固定記憶手段に記憶する。  そして、着脱手段に装着された装着型記憶手段（ＳＩＭカード）の確認情報と、固定記憶手段に記憶された確認情報とが一致しない場合には、第２通信手段による通信を不可にする。【選択図】図２
2015091021.tif 000002
【特許請求の範囲】
【請求項１】
第１加入者情報による第１通信回線を使用した通信と、第２加入者情報による第２通信回線を使用した通信との組み合わせによる通信契約の対象とされた携帯端末装置であって、
ユーザによる交換ができない固定記憶手段と、
前記固定記憶手段に、前記第１加入者情報を記憶させる第１記憶手段と、
前記記憶した前記第１加入者情報に基づいて前記第１通信回線を使用した通信を行う第１通信手段と、
装着型記憶手段を着脱する着脱手段と、
前記着脱手段に装着された装着型記憶手段に記憶された第２加入者情報に基づいて、当該第２加入者情報に対応する第２通信回線を使用した通信を行う第２通信手段と、
前記通信契約による前記第２加入者情報の少なくとも一部を確認情報として前記固定記憶手段に記憶させる第２記憶手段と、
前記着脱手段に装着された装着型記憶手段から確認情報を読み出し、前記第２記憶手段で記憶された確認情報と一致するか否かを判断する一致判断手段と、
前記一致判断手段により、両確認情報が一致すると判断された場合には、前記第１通信手段及び第２通信手段による通信を可能とし、一致しないと判断された場合には、前記第２通信手段による通信を不可にする、通信制御手段と、
を具備したことを特徴とする携帯端末装置。
【請求項２】
個体識別情報と、前記第１加入者情報と、前記第２加入者情報との組を取得して保存する発番サーバに対し、当該携帯端末装置の個体識別情報を送信して発番を依頼する発番依頼手段と、
前記発番の依頼に基づいて前記発番サーバから送信される、送信した個体識別情報に対応する第１加入者情報と、第２加入者情報の確認情報とを受信する受信手段と、を備え、
前記第１記憶手段は、前記受信手段で受信した第１加入者情報を前記固定記憶手段に記憶させ、
前記第２記憶手段は、前記受信手段で受信した確認情報を前記固定記憶手段に記憶させる、
ことを特徴とする請求項１に記載の携帯端末装置。
【請求項３】
前記発番依頼手段は、仮番号に基づいて前記第１通信手段により前記発番サーバと接続し、発番を依頼する、
ことを特徴とする請求項２に記載の携帯端末装置。
【請求項４】
前記個体識別情報は、前記第２加入者情報の電話番号である、
ことを特徴とする請求項１、請求項２、又は請求項３に記載の携帯端末装置。
【請求項５】
前記通信制御手段は、両確認情報が一致しないと判断された場合には、更に第１通信手段による通信も不可にする、
ことを特徴とする請求項１から請求項４のうちのいずれか１の請求項に記載の携帯端末装置。
【請求項６】
第１加入者情報による第１通信回線を使用した通信と、第２加入者情報による第２通信回線を使用した通信との組み合わせによる通信契約の対象とされた携帯端末装置に対する発番を行う発番サーバであって、
携帯端末装置の個体識別情報と、当該携帯端末装置に対してなされた組み合わせによる通信契約に基づく第１通信回線の第１加入者番号と、第２通信回線の第２加入者情報を確認する確認情報とを有する加入者情報を受信する加入者情報受信手段と、
前記受信した加入者情報毎に保存する加入者情報保存手段と、
携帯端末装置から発番依頼を受け付ける発番受付手段と、
前記発番依頼を受け付けた携帯端末装置の個体識別情報を取得し、当該個体識別情報に対応する第１加入者情報と、確認情報を前記加入者情報保存手段から読み出し、当該発番依頼を受け付けた携帯端末装置に送信する、加入者情報送信手段と、
を具備したことを特徴とする発番サーバ。
【請求項７】
前記発番受付手段は、仮の電話番号により接続された携帯端末装置からの発番依頼を受け付け、
前記加入者情報送信手段は、前記発番依頼を受け付けた仮の電話番号による接続において、前記第１加入者情報と、前記確認情報を送信する、
ことを特徴とする請求項６に記載の発番サーバ。
【請求項８】
前記発番受付手段は、仮の電話番号により接続された携帯端末装置からの発番依頼を受け付け、
前記加入者情報送信手段は、前記発番依頼を受け付けた仮の電話番号による接続において前記第１加入者情報を送信し、当該送信した第１加入者情報宛のショートメッセージとして前記確認情報を送信する、
ことを特徴とする請求項６の発番サーバ。
【請求項９】
ユーザによる交換ができない固定記憶手段と、装着型記憶手段を着脱する着脱手段とを備え、第１加入者情報による第１通信回線を使用した通信と、第２加入者情報による第２通信回線を使用した通信との組み合わせによる通信契約の対象とされる携帯端末装置の携帯端末プログラムであって、
前記固定記憶手段に、前記第１加入者情報を記憶させる第１記憶機能と、
前記記憶した前記第１加入者情報に基づいて前記第１通信回線を使用した通信を行う第１通信機能と、
前記着脱手段に装着された装着型記憶手段に記憶された第２加入者情報に基づいて、当該第２加入者情報に対応する第２通信回線を使用した通信を行う第２通信機能と、
前記通信契約による前記第２加入者情報の少なくとも一部を確認情報として前記固定記憶手段に記憶させる第２記憶機能と、
前記着脱手段に装着された装着型記憶手段から確認情報を読み出し、前記第２記憶機能で記憶された確認情報と一致するか否かを判断する一致判断機能と、
前記一致判断機能により、両確認情報が一致すると判断された場合には、前記第１通信機能及び第２通信機能による通信を可能とし、一致しないと判断された場合には、前記第２通信機能による通信を不可にする、通信制御機能と、
をコンピュータに実現させることを特徴とする携帯端末プログラム。
【発明の詳細な説明】
【技術分野】
【０００１】
本発明は、携帯端末装置、発番サーバ、及び携帯端末プログラムに係り、詳細には、複数の通信回線網による通話が可能な通信機能を備えた携帯端末装置、発番サーバ及び携帯端末プログラムに関する。
【背景技術】
【０００２】
通信回線網を使用して通話機能を実現した携帯電話やいわゆるＰＨＳ、スマートフォン等の各種携帯端末装置が普及している。
この携帯端末装置では、１つの通信回線に接続をする場合以外に、複数の通信回線（例えば、２回線）に接続をして通話する技術が特許文献１、特許文献２で提案されている。
この各特許文献記載技術では、携帯端末装置が、夫々の通信回線毎に電話番号（固有情報）を有し１端末内でそれぞれ独立して管理されており、ユーザが希望する通信回線に接続可能な電話番号を選択して、発呼、通信をしている。また、待ち受け中には、両通信回線への着信を監視するとともに、それぞれの着信に対して通話を行う事ができる。
【０００３】
このような携帯端末装置（電話端末）では、１つの携帯端末装置内で通信回線毎にそれぞれ別個に加入者情報が登録され、独立して管理されている。
このため、ユーザが取り外し可能な記憶媒体（ＳＩＭカード等）に加入者情報が記憶されている場合、当該記憶媒体を他の記憶媒体に換装することで、当該換装後の記憶媒体に対応する別の通信回線用の携帯端末装置として使用されてしまうことが考えられる。
しかし、１の携帯端末装置に対して複数の通信回線による接続を認める携帯端末装置の場合、当該複数の通信回線を使用することを前提とした料金設定（通信契約）がなされ、収益を予定しているビジネスモデルである場合が多い。
このため、１の携帯端末装置に対して通信契約された各通信回線に対応する記憶媒体（ＳＩＭカード等）のいずれかを、契約外の通信回線に対応する記憶媒体に変更して使用（通信）した場合、通信契約対象外での不正使用となり、一方、通信回線業者は通信契約に基づく所望の収益を上げることが困難になるという問題がある。
特に、１の携帯端末装置で１の通信回線を使用する契約を複数結ぶ場合に比べ、１携帯端末装置−複数通信回線使用の通信契約では、各通信回線に対する条件（料金設定など）が優遇されている場合が多く、かかる場合、記憶媒体変更による契約外の通信が使用されることで予定した収益が得られないことになる。
【先行技術文献】
【特許文献】
【０００４】
【特許文献１】特開２００９−２１８６５０号公報
【特許文献２】特開２００９−  ９４９０９号公報
【発明の概要】
【発明が解決しようとする課題】
【０００５】
本願発明は、セット契約された通信回線による通信を保証することを目的とする。
【課題を解決するための手段】
【０００６】
（１）請求項１に記載の発明では、第１加入者情報による第１通信回線を使用した通信と、第２加入者情報による第２通信回線を使用した通信との組み合わせによる通信契約の対象とされた携帯端末装置であって、ユーザによる交換ができない固定記憶手段と、前記固定記憶手段に、前記第１加入者情報を記憶させる第１記憶手段と、前記記憶した前記第１加入者情報に基づいて前記第１通信回線を使用した通信を行う第１通信手段と、装着型記憶手段を着脱する着脱手段と、前記着脱手段に装着された装着型記憶手段に記憶された第２加入者情報に基づいて、当該第２加入者情報に対応する第２通信回線を使用した通信を行う第２通信手段と、前記通信契約による前記第２加入者情報の少なくとも一部を確認情報として前記固定記憶手段に記憶させる第２記憶手段と、前記着脱手段に装着された装着型記憶手段から確認情報を読み出し、前記第２記憶手段で記憶された確認情報と一致するか否かを判断する一致判断手段と、前記一致判断手段により、両確認情報が一致すると判断された場合には、前記第１通信手段及び第２通信手段による通信を可能とし、一致しないと判断された場合には、前記第２通信手段による通信を不可にする、通信制御手段と、を具備したことを特徴とする携帯端末装置を提供する。
（２）請求項２に記載の発明では、個体識別情報と、前記第１加入者情報と、前記第２加入者情報との組を取得して保存する発番サーバに対し、当該携帯端末装置の個体識別情報を送信して発番を依頼する発番依頼手段と、前記発番の依頼に基づいて前記発番サーバから送信される、送信した個体識別情報に対応する第１加入者情報と、第２加入者情報の確認情報とを受信する受信手段と、を備え、前記第１記憶手段は、前記受信手段で受信した第１加入者情報を前記固定記憶手段に記憶させ、前記第２記憶手段は、前記受信手段で受信した確認情報を前記固定記憶手段に記憶させる、ことを特徴とする請求項１に記載の携帯端末装置を提供する。
（３）請求項３に記載の発明では、前記発番依頼手段は、仮番号に基づいて前記第１通信手段により前記発番サーバと接続し、発番を依頼する、ことを特徴とする請求項２に記載の携帯端末装置を提供する。
（４）請求項４に記載の発明では、前記個体識別情報は、前記第２加入者情報の電話番号である、ことを特徴とする請求項１、請求項２、又は請求項３に記載の携帯端末装置を提供する。
（５）請求項５に記載の発明では、前記通信制御手段は、両確認情報が一致しないと判断された場合には、更に第１通信手段による通信も不可にする、ことを特徴とする請求項１から請求項４のうちのいずれか１の請求項に記載の携帯端末装置を提供する。
（６）請求項６に記載の発明では、第１加入者情報による第１通信回線を使用した通信と、第２加入者情報による第２通信回線を使用した通信との組み合わせによる通信契約の対象とされた携帯端末装置に対する発番を行う発番サーバであって、携帯端末装置の個体識別情報と、当該携帯端末装置に対してなされた組み合わせによる通信契約に基づく第１通信回線の第１加入者番号と、第２通信回線の第２加入者情報を確認する確認情報とを有する加入者情報を受信する加入者情報受信手段と、前記受信した加入者情報毎に保存する加入者情報保存手段と、携帯端末装置から発番依頼を受け付ける発番受付手段と、前記発番依頼を受け付けた携帯端末装置の個体識別情報を取得し、当該個体識別情報に対応する第１加入者情報と、確認情報を前記加入者情報保存手段から読み出し、当該発番依頼を受け付けた携帯端末装置に送信する、加入者情報送信手段と、を具備したことを特徴とする発番サーバを提供する。
（７）請求項７に記載の発明では、前記発番受付手段は、仮の電話番号により接続された携帯端末装置からの発番依頼を受け付け、前記加入者情報送信手段は、前記発番依頼を受け付けた仮の電話番号による接続において、前記第１加入者情報と、前記確認情報を送信する、ことを特徴とする請求項６に記載の発番サーバを提供する。
（８）請求項８に記載の発明では、前記発番受付手段は、仮の電話番号により接続された携帯端末装置からの発番依頼を受け付け、前記加入者情報送信手段は、前記発番依頼を受け付けた仮の電話番号による接続において前記第１加入者情報を送信し、当該送信した第１加入者情報宛のショートメッセージとして前記確認情報を送信する、ことを特徴とする請求項６の発番サーバを提供する。
（９）請求項９に記載の発明では、ユーザによる交換ができない固定記憶手段と、装着型記憶手段を着脱する着脱手段とを備え、第１加入者情報による第１通信回線を使用した通信と、第２加入者情報による第２通信回線を使用した通信との組み合わせによる通信契約の対象とされる携帯端末装置の携帯端末プログラムであって、前記固定記憶手段に、前記第１加入者情報を記憶させる第１記憶機能と、前記記憶した前記第１加入者情報に基づいて前記第１通信回線を使用した通信を行う第１通信機能と、前記着脱手段に装着された装着型記憶手段に記憶された第２加入者情報に基づいて、当該第２加入者情報に対応する第２通信回線を使用した通信を行う第２通信機能と、前記通信契約による前記第２加入者情報の少なくとも一部を確認情報として前記固定記憶手段に記憶させる第２記憶機能と、前記着脱手段に装着された装着型記憶手段から確認情報を読み出し、前記第２記憶機能で記憶された確認情報と一致するか否かを判断する一致判断機能と、前記一致判断機能により、両確認情報が一致すると判断された場合には、前記第１通信機能及び第２通信機能による通信を可能とし、一致しないと判断された場合には、前記第２通信機能による通信を不可にする、通信制御機能と、をコンピュータに実現させることを特徴とする携帯端末プログラムを提供する。
【発明の効果】
【０００７】
本願発明によれば、着脱手段に装着された装着型記憶手段から読み出した確認情報が、第２記憶手段で記憶された確認情報と一致しないと判断された場合には、第２通信手段による通信を不可にするので、セット契約された通信回線による通信を保証することができる。
【図面の簡単な説明】
【０００８】
【図１】本実施形態による携帯端末装置で使用する通信回線について表した説明図である。
【図２】携帯端末装置の各機能を表した機能構成図である。
【図３】携帯端末装置のハード構成図である。
【図４】発番サーバの構成図である。
【図５】セット契約がなされた携帯端末装置に対する発番処理の動作を表したフローチャートである。
【図６】携帯端末装置におけるセット契約対象確認処理の動作を表したフローチャートである。
【図７】第２実施形態における発番処理の動作を表したフローチャートである。
【図８】変形例における、ＰＨＳによる初回位置登録時の動作を表したフローチャートである。
【発明を実施するための形態】
【０００９】
以下、本発明の携帯端末装置、発番サーバ、及び携帯端末プログラムおける好適な実施の形態について、図１から図８を参照して詳細に説明する。
（１）実施形態の概要
本実施形態では、１の携帯端末装置で複数の電話回線等の通信回線をセットで使用する契約（以下、セット契約という）を前提とし、当該契約を行った店舗端末から、携帯端末装置の個体識別情報（ＰＳＩＤ）と各通信回線の加入者情報を、発番サーバに送信する。加入者情報は、各通信回線を運営する通信回線事業者が発行する情報で、電話番号等が該当する。
一方、契約した携帯端末装置からは、ＰＳＩＤを発番サーバに送信して発番要求を行う。
【００１０】
発番サーバでは、発番要求に基づいて、携帯端末装置から受信したＰＳＩＤに対応する加入者情報、又は加入者情報の少なくとも一部で構成される確認情報を携帯端末装置に送信する。
発番サーバが加入者情報を送信するか確認情報を送信するかは次の基準による。すなわち、携帯端末装置では、加入者情報に基づいて当該加入者情報に対応する通信回線を使用して通信を行うが、通信を行う際に使用する加入者情報の保存場所により決まる。具体的には、通信の際に使用する加入者情報の保存先が、ユーザによる交換が出来ない固定記憶手段（携帯端末装置の不揮発性ＲＡＭ）である場合、発番サーバは加入者情報を送信し、ユーザにより交換が可能な装着型記憶手段（ＳＩＭカード等）である場合には確認情報を送信する。
【００１１】
但し、本実施形態では、２つの通信回線がセットで契約され、その一方がＰＨＳ（Ｐｅｒｓｏｎａｌ  Ｈａｎｄｙ−ｐｈｏｎｅ  Ｓｙｓｔｅｍ）による通信回線（以下、ＰＨＳ回線という）で、他方が３Ｇ（第３世代移動通信システム）による通信回線（以下、３Ｇ回線という）を例に説明する。そして、ＰＨＳ回線の加入者情報は携帯端末装置の固定記憶手段に保存され、３Ｇ回線の加入者情報はＳＩＭに保存される。また、本実施形態では、加入者情報として電話番号を例に、確認情報として加入者情報の全部（すなわち、電話番号）を例に説明する。
このため、本実施形態の発番サーバは、発番要求があった携帯端末装置に対して、ＰＨＳ回線の加入者情報としてＰＨＳ回線の電話番号を、３Ｇ回線の確認情報として３Ｇ回線の電話番号を送信する。
【００１２】
携帯端末装置では、発番サーバからＰＨＳ回線の電話番号（加入者情報）を受信し、固定記憶手段に格納（これによりＰＨＳ回線の発番が完了）する。また、携帯端末装置は、受信した３Ｇ回線の電話番号（確認情報）を、ＰＨＳ回線とセットで契約した３Ｇ回線であることを確認するための確認情報として、固定記憶手段に格納する。
なお、３Ｇ回線の加入者情報はＳＩＭカード（装着型記憶手段）に保存されていて、３Ｇ回線を使用した通信を行う場合には、ＳＩＭ情報読取部（着脱手段）に装着されたＳＩＭカードから読み出した加入者情報を使用する。
携帯端末装置は、所定のタイミング、例えば、電源が投入された際に、装着されているＳＩＭカードから確認情報としての電話番号を読み出し、固定記憶手段に保存されている確認情報（電話番号）と比較し、一致するか否かにより、ＰＨＳ回線とセットで契約した３Ｇ回線であるか否かを確認する。
【００１３】
携帯端末装置は、一致している場合には、ＰＨＳ回線及び３Ｇ回線による通信を可能とし、一致していない場合には、携帯端末装置の使用を不可状態とする。この使用の不可状態は、契約対象外である３Ｇ回線による通信ができない状態とする場合と、更に、ＰＨＳ回線も含めて通信ができない状態とする場合とがある。通信ができない状態は、送信及び受信ができない場合を言うが、受信が可能で送信ができない場合を含めることも可能である。
【００１４】
以上により、１の携帯端末装置においてＰＨＳ回線と特定の３Ｇ回線をセットで使用することを前提とした通信契約（セット契約）において、対象外の３Ｇ回線の使用が禁止されるため、契約対象外のＳＩＭカードに交換されることが防止される。
【００１５】
（２）実施形態の詳細
図１は本実施形態による携帯端末装置で使用する通信回線について表したものである。
図１に示されるように、携帯端末装置１００は、第１加入者網（第１通信回線）２００と、第２加入者網（第２通信回線）４００と接続可能であり、各加入者網（各通信回線）２００、４００に対する加入者情報（電話番号等）を使用して、図示しない他の携帯端末装置や固定電話等との間で各種通信（通話、データ送受信等）を行うことができる。
本実施形態では、第１加入者網２００がＰＨＳ回線であり、第２加入者網が３Ｇ回線である場合を例に説明するが、共に３Ｇ回線である場合や、３以上の通信回線を対象にすることも可能である。また、通信回線としては、ＰＨＳ回線や、３Ｇ回線だけでなく、４Ｇ回線等の他の回線の場合も適用可能である。
第１加入者網２００、第２加入者網４００は、互いの加入者網や、他の加入者網との通信による接続が可能である。
第１加入者網２００、第２加入者網４００には、それぞれの加入者情報を管理する加入者サーバ３００、５００が接続されており、両者間での加入者情報の送受信が可能になっている。
本実施形態では、第１加入者網（ＰＨＳ回線）２００の加入者サーバ３００が、携帯端末装置１００に対してＰＨＳ回線と３Ｇ回線のセット契約に基づき、両回線用の発番を行う発番サーバ（後述）として機能し、セットで契約した特定の３Ｇ回線の加入者サーバ５００に対して、加入者情報等の発番情報を送信するようになっている。
【００１６】
図２は、携帯端末装置１００の各機能を表した機能構成図である。
図２に示されるように携帯端末装置１００は、第１無線通信部１１０、第２無線通信部１２０、通話部１３０、制御部１４０、加入者情報制御部１５０、加入者情報記憶部１６０、加入者情報比較部１７０、及びＳＩＭ情報読取部１８０を備えている。
第１無線通信部１１０は第１通信手段として機能し、ＰＨＳ回線用の変調、復調などを行うことでＰＨＳ回線を使用した通信を行う。すなわち、加入者情報記憶部１６０の第１加入者情報記憶部１６２に記憶されている加入者情報（電話番号）に基づいて第１加入者網２００と接続し、他の携帯端末装置等との通信を行う。
第２無線通信部１２０は第２通信手段として機能し、３Ｇ用の変調、復調などを行うことで、対応する（セット契約に基づく）特定の３Ｇ回線を使用した通信を行う。すなわち、ＳＩＭ情報読取部１８０で読み取ったＳＩＭカード１８１に記憶されている加入者情報に基づいて、第２加入者網４００と接続し、他の携帯端末装置等との通信を行う。
【００１７】
通話部１３０は、第１無線通信部１１０、第２無線通信部１２０による通信において、通信（通話、メール等）を行うために必要とされる機能部であり、入力キー、ディスプレイ、マイク、スピーカ等から構成される。
制御部１４０は、携帯端末装置１００による各種通信の制御を行うと共に、他の各部を制御する。本実施形態において制御部１４０は、セット契約に基づいて、後述する発番サーバ６００に発番を依頼する発番依頼手段として機能し、また、加入者情報比較部１７０の比較結果に基づいて、第２無線通信部１２０による通信を可能、又は不可とすることで通信制御手段として機能する。
【００１８】
加入者情報制御部１５０は、加入者情報記憶部１６０への各種情報の書き込み及び情報の読み出しを行う機能部である。
すなわち、加入者情報制御部１５０は、制御部１４０の指示のもと、発番依頼の際に、ＰＳＩＤ記憶部１６１から当該携帯端末装置１００の個体識別情報であるＰＳＩＤを読み出す。
また、加入者情報制御部１５０は、発番依頼に基づいて受信する、第１加入者情報を第１加入者情報記憶部１６２に記憶させると共に、受信する確認情報を確認情報記憶部１６３に記憶させることで、第１記憶手段、第２記憶手段として機能する。
【００１９】
加入者情報記憶部１６０は、ユーザによる交換が出来ない固定記憶手段として機能し、不揮発性の書き換え可能な記憶手段（不揮発性ＲＡＭ）が使用される。
加入者情報記憶部１６０は、ＰＳＩＤ記憶部１６１、第１加入者情報記憶部１６２、確認情報記憶部１６３、図示しないその他の記憶部を備えている。
ＰＳＩＤ記憶部１６１には、携帯端末装置１００の個体識別情報であるＰＳＩＤが記憶されている。このＰＳＩＤは、セット契約に基づく発番処理以前から予めＰＳＩＤ記憶部１６１に保存されている。
第１加入者情報記憶部１６２には、第１通信回線で使用する第１加入者情報として、ＰＨＳ回線の電話番号等が記憶される。この第１加入者情報は、セット契約の後に、発番処理によって第１加入者情報記憶部１６２に記憶される。
確認情報記憶部１６３には、ＳＩＭ情報読取部１８０に挿入されているＳＩＭカードがセット契約に基づくものか否かを判定するための確認情報が保存される。この保存される確認情報としては、セット契約の対象となっている第２通信回線に対応した加入者情報の１部であり、本実施形態では３Ｇ契約（セット契約に含まれる）に基づく電話番号情報が保存されている。
【００２０】
図示しないその他の記憶部には、その他の携帯端末装置として機能するための各種情報が保存され、例えば、発番依頼時に使用する仮の電話番号である仮発番番号や、ユーザが登録する他人の電話番号、メールアドレス、住所等の登録情報等が記憶される。
【００２１】
加入者情報比較部１７０は、ＳＩＭ情報読取部１８０に挿入されているＳＩＭカード１８１に記憶されている加入者情報に含まれる確認情報（本実施形態では電話番号情報）と、確認情報記憶部１６３に保存されている確認情報とを比較し、一致しているか否かの結果を制御部１４０に伝える。加入者情報比較部１７０は、一致判断手段として機能する。
【００２２】
ＳＩＭ情報読取部１８０は、挿入されているＳＩＭカード１８１から加入者情報を読み取り、加入者情報比較部１７０や制御部１４０に伝える機能である。
ＳＩＭ情報読取部１８０は、装着型記憶手段であるＳＩＭカード１８１を着脱する着脱手段として機能している。
【００２３】
図３は、携帯端末装置１００のハード構成を表したものである。
携帯端末装置１００は、セット契約を対象とした装置であり、ＰＨＳ回線と特定の３Ｇ回線をセットで使用することを前提としている。
携帯端末装置１００は、ＰＨＳ回線を使用するＰＨＳ端末としてのハード構成として、第１無線通信部（ＲＦ）１１０、入力キー１３１、ディスプレイ１３２、マイク１３３、スピーカ１３４、ＣＰＵ１４１、ＲＡＭ１４２、ＲＯＭ１４３、及び加入者情報記憶部１６０を備えている。
また、携帯端末装置１００は、３Ｇ回線を使用する３Ｇ端末としてのハード構成として、第２無線通信部（ＲＦ）１２０、マイク１３３、スピーカ１３４、及びＳＩＭカード１８１を挿入するＳＩＭカード挿入口（ＳＩＭ情報読取部）１８０を備えている。
図３に示されるように、ＣＰＵ１４１〜ＲＯＭ１４７は、図２における制御部１４０、加入者情報制御部１５０、及び加入者情報比較部１７０として機能する。
ＣＰＵ１４１は、ＲＡＭ１４２を作業領域として、ＲＯＭ１４３に格納されている各種プログラムに基づいて第１通信回線（ＰＨＳ回線）を使用した（第１通信回線を第１次の接続先とした）通信を行う。
ＣＰＵ１４５は、ＲＡＭ１４６を作業領域として、ＲＯＭ１４７に格納されている各種プログラムに基づいて第２通信回線（３Ｇ回線）を使用した（第２通信回線を第１次の接続先とした）通信を行う。
【００２４】
図３に示されるように、マイク１３３とスピーカ１３４は、ＰＨＳ回線用のＣＰＵ１４１及び、３Ｇ回線用のＣＰＵ１４５により共通して接続されており、両者により直接制御される。
一方、入力キー１３１とディスプレイ１３２については、ＰＨＳ回線用のＣＰＵ１４１に接続され、ＣＰＵ１４１によって制御される。
入力キー１３１は、ＰＨＳ回線用と３Ｇ回線用の２つの発呼ボタンを備えており、ユーザにより選択された側の通信回線をｌ次の接続先として、対応する加入者情報を使用した接続が行われる。
ＣＰＵ１４１とＣＰＵ１４５とは接続されており、互いにデータの送受信が行われるようになっている。このため、入力キー１３１で他の携帯端末装置の電話番号が入力された後、３Ｇ回線用の発呼ボタンが選択された場合、ＣＰＵ１４１は、入力された電話番号等のキー操作内容をＣＰＵ１４５に通知するようになっている。ＣＰＵ１４５では、ＣＰＵ１４１から通知されたキー操作内容に従い、ＳＩＭカード１８１から読み取った加入者情報に基づいて第２通信回線を１次の接続先として通信を行う。
【００２５】
なお、携帯端末装置１００は、ＰＨＳ回線用と３Ｇ回線用の２つの発呼ボタンを備える場合について説明したが、１つの発呼ボタンを備えるようにしてもよい。この場合、携帯端末装置１００が、予め定められた特定通信回線（例えば、第１通信回線）の通信圏内にある場合には当該特定通信回線を使用した発呼が行われ、当該特定通信回線の通信圏外にある場合には他の通信回線（第２通信回線）による発呼が行われるようにしてもよい。
第１通信回線、第２通信回線のどちらを特定通信回線とするかについては、予め契約により定められる場合、契約と関係なくいずれか一方に固定されている場合、また、ユーザが適宜設定、変更できる場合のいずれも可能である。
【００２６】
なお、図３に示した携帯端末装置１００では、制御部１４０、加入者情報制御部１５０、加入者情報比較部１７０を実現するための構成として、ＰＨＳ回線用のＣＰＵ１４１等、及び３Ｇ回線用のＣＰＵ１４５等を備える場合について説明したが、共通のＣＰＵ、ＲＡＭ、ＲＯＭを使用するようにしてもよい。
また、図３に示したＲＯＭ１４３、１４７、及び、上述の共通化する場合のＲＯＭについては、加入者情報記憶部１６０と同様に、不揮発性の書き換え可能な記憶手段を使用するようにしてもよい。
【００２７】
図４は、発番サーバ６００の構成を表した図である。
図４に示されるように発番サーバ６００は、通信部６１０、加入者情報記憶部６３０、加入者情報制御部６５０を備えている。
通信部６１０は、第１通信回線（第１加入者網）２００と接続して携帯端末装置１００等と通信を行う機能部である。
本実施形態では、第１通信回線の加入者サーバ３００（図１参照）が発番サーバ６００として機能しており、通信部６１０は、セット契約の対象となっている他の加入者サーバ５００との間でセット契約に基づく加入者情報等の送受信も行うようになっている。
【００２８】
加入者情報記憶部６３０は、セット契約毎の加入者情報６４０を保存する。加入者情報６４０は、各セット契約の対象となった第１通信回線の加入者情報を記憶する第１加入者情報記憶部６４１、当該セット契約の対象となった第２通信回線の加入者情報に含まれる確認情報を記憶する確認情報記憶部６４２、及び、当該セット契約の対象となった携帯端末装置１００の個体識別情報であるＰＳＩＤを記憶するＰＳＩＤ記憶部６４３を備えている。
加入者情報記憶部６３０は、ハードディスク等の大容量記憶媒体が使用される。
【００２９】
加入者情報制御部６５０は、セット契約毎の加入者情報６４０を加入者情報記憶部６３０に記憶させ、また、記憶した加入者情報の読み出しを行う。
すなわち、加入者情報制御部６５０は、セット契約が行われる店舗端末７００と接続されており、セット契約が行われた携帯端末装置１００のＰＳＩＤと、第１通信回線の加入者情報、及び確認情報を受信し、加入者情報６４０として加入者情報記憶部６３０に保存する。なお、本実施形態では、確認情報として３Ｇ回線を使用するための電話番号（以下、３Ｇ電番という）が使用される。
店舗端末７００からの加入者情報６４０の受信と保存は、当該契約対象となった携帯端末装置１００からの発番要求の前に行われる。
加入者情報制御部６５０は、携帯端末装置１００からの発番要求に基づいて、当該携帯端末１００のＰＳＩＤに対応する加入者情報６４０から、第１通信回線の加入者情報と確認情報を読み出して、携帯端末装置１００に送信するようになっている。
また、加入者情報制御部６５０は、加入者情報記憶部６３０に保存した加入者情報６４０を、第２通信回線に対応する加入者サーバ５００に第１加入者網２００を介して送信する。
【００３０】
以上の通り構成された、携帯端末装置１００及び発番サーバ６００による発番処理について次に説明する。
図５は、セット契約がなされた携帯端末装置１００に対する発番処理の動作を表したフローチャートである。
なお、本実施形態では、第１通信回線としてＰＨＳ回線が、第２通信回線として所定の３Ｇ回線がセットで契約された場合について説明する。また、本実施形態では、確認情報としてセット契約された第２通信回線の３Ｇ電番（電話番号）を使用するものとする。
【００３１】
セット契約は基本的に店舗端末７００が配置されている店舗において行われる。
店舗端末７００では、セット契約の際に、第１通信回線で使用するための電話番号（以下ＰＨＳ電番という）を決定すると共に、第２通信回線で使用するＳＩＭカード１８１を決定する。
そして、店舗端末７００では、ユーザによって選択された携帯端末装置１００に対応するＰＳＩＤと共に、決定したＰＨＳ電番と、決定したＳＩＭカードに保存されている３Ｇ電番（確認情報）を、当該セット契約に対応する加入者情報６４０として、発番サーバ６００に送信する（ステップ１０）。
【００３２】
発番サーバ６００は、店舗端末７００から加入者情報６４０が送信されると、加入者情報制御部６５０で受信し、新たな加入者情報６４０として、ＰＨＳ電番、３Ｇ電番、及びＰＳＩＤを関連付けて、それぞれ第１加入者情報記憶部６４１、確認情報記憶部６４２、ＰＳＩＤ記憶部６４３に保存する（ステップ１１）。
【００３３】
一方、セット契約において選択された携帯端末装置１００では、店舗端末７００からの加入者情報６４０の送信が完了した後、発番サーバ６００に対して発番の依頼を行う（ステップ１２）。
すなわち、携帯端末装置１００では、制御部１４０が、加入者情報制御部１５０によってＰＳＩＤをＰＳＩＤ記憶部１６１から読み出し、第１無線通信部１１０によって発番を前提とした仮のＰＨＳ電番（仮電番）を使用して第１加入者網２００から発番サーバ６００に接続し、ＰＳＩＤを送信することで発番依頼を行う。
【００３４】
発番サーバ６００では、携帯端末装置１００から発番依頼を通信部６１０で受けると、加入者情報制御部６５０は、ＰＳＩＤを確認する（ステップ１３）。すなわち、加入者情報制御部６５０は、発番依頼で受信したＰＳＩＤを検索キーとして、対応する加入者情報６４０を確認する。
更に、加入者情報制御部６５０は、確認した加入者情報６４０に基づいて、ＰＨＳ電番（第１加入者情報）を第１加入者情報記憶部６４１から読み出す（ステップ１４）と共に、３Ｇ電番（確認情報）を確認情報記憶部６４２から読み出す（ステップ１５）。
【００３５】
そして、発番サーバ６００は、発番要求をしてきた仮電番の携帯端末装置１００に対して、発番通知送信を行う（ステップ１６）。
すなわち、発番サーバ６００は通信部６１０により、加入者情報制御部６５０で読み出したＰＨＳ電番と３Ｇ電番を、携帯端末装置１００に送信し、発番処理における発番サーバ６００の処理を終了する。
【００３６】
一方、発番サーバ６００から発番通知がなされた携帯端末装置１００では、ＰＨＳ電番と３Ｇ電番を第１無線通信部１１０で受信し、制御部１４０の制御のもと、加入者情報制御部１５０がＰＨＳ電番を第１加入者情報記憶部１６２に保存し（ステップ１７）、また、３Ｇ電番を確認情報として確認情報記憶部１６３に保存し（ステップ１８）、携帯端末装置１００における発番処理を終了する。
【００３７】
以上により、セット契約された携帯端末装置１００における発番処理が完了する。
そして、携帯端末装置１００のＳＩＭ情報読取部１８０には、セット契約の際に店舗端末７００が設置された店舗で決定されたＳＩＭカードが挿入されている。
これにより、携帯端末装置１００は、第１加入者情報記憶部１６２に記憶されたＰＨＳ電番（加入者情報）に基づいてＰＨＳ回線を使用した通信が行われ、また、ＳＩＭ情報読取部１８０に挿入されたＳＩＭカード１８１に記憶された３Ｇ電番（加入者情報）に基づいて３Ｇ回線を使用した通信が行われる。
【００３８】
次に、携帯端末装置１００におけるセット契約対象確認処理の動作について図６を参照して説明する。
このセット契約対象確認処理は、携帯端末装置１００の所定のタイミングで行われる。所定のタイミングとして、本実施形態の携帯端末装置１００では、装置の電源投入時に実行されるが、例えば、所定時間毎（ｎ時間毎）に実行するようにしてもよい。
【００３９】
携帯端末装置１００の制御部１４０は、第１加入者情報記憶部１６２にＰＨＳの加入者情報が記憶されているか否かを確認する（ステップ１）。
ＰＨＳの加入者情報が記憶されていない場合（ステップ１；Ｎ）、制御部１４０は、携帯端末装置１００の使用を不可として（ステップ６）、処理を終了する。
一方、ＰＨＳの加入者情報が記憶されている場合（ステップ１；Ｙ）、制御部１４０は、テストモードであるか否かを判断する（ステップ２）。このテストモードは、ユーザ操作による通信ではなく、店舗端末７００等で行われる通信性能等を確認するための通信を行うモードである。
テストモードである場合（ステップ２；Ｙ）、制御部１４０は、３Ｇ通信回線の加入者情報のいかんにかかわらず（挿入されているＳＩＭカードにかかわらず）、ＰＨＳ通信の使用を可能にする（ステップ５）。
【００４０】
テストモードでない場合（ステップ２；Ｙ）、制御部１４０は、確認情報記憶部１６３に確認情報（３Ｇ電番）が記憶されているか否かを確認し（ステップ３）、記憶されていない場合（ステップ３；Ｎ）、発番処理が完了していないと判断されるため、３Ｇ回線による通信を不可とする（ステップ６）。なお、本実施形態では、この場合のＰＨＳ回線についても使用不可となるが、ＰＨＳ回線に限定して通信可能にしてもよい。
【００４１】
確認情報（３Ｇ電番）が確認情報記憶部１６３に記憶されている場合（ステップ３；Ｙ）、制御部１４０は、ＳＩＭカード１８１は登録されたカードか否かを確認する（ステップ４）。すなわち、制御部１４０は、ＳＩＭ情報読取部１８０に挿入されているＳＩＭカード１８１の加入者情報から確認情報（３Ｇ電番）を読み出し、確認情報記憶部１６３に記憶されている確認情報と一致するか否かを判断する。
両者が一致する場合（ステップ４；Ｙ）、制御部１４０は、セット契約に基づくＳＩＭカード１８１が使用されていると判断して、第１加入者情報記憶部１６２に記憶されている加入者情報（ＰＨＳ電番）に基づくＰＨＳ回線を使用した通信、及び、ＳＩＭカード１８１に記憶されている加入者情報（３Ｇ電番）に基づく３Ｇ回線を使用した通信の両者を可能にし（ステップ５）、処理を終了する。
【００４２】
一方、両者が一致しない場合（ステップ４；Ｎ）、ＳＩＭ情報読取部１８０に挿入されているＳＩＭカード１８１が、セット契約に基づかない他のＳＩＭカードに変更されていると判断して、通信の使用を不可とし（ステップ６）、処理を終了する。
なお、ここでの通信の使用不可とは、本実施形態の場合、３Ｇ回線による通信を不可にすることをいい、ＰＨＳ回線による通信は認められる。但し、３Ｇ回線、ＰＨＳ回線共に通信不可とすることも可能である。
【００４３】
以上説明したように、携帯端末装置１００について、セット契約の対象である特定の３Ｇ回線のＳＩＭカード１８１が使用されているか否かを確認するための確認情報（３Ｇ電番）を、ＰＨＳ回線に対する発番処理において、ユーザによる交換が出来ない固定記憶手段に保存することができる。
そして、セット契約対象外の３Ｇ回線用のＳＩＭカードに変更されると、保存した確認情報により確認して通信回線の使用が禁止される（使用出来ない状態とされる）ので、契約対象外のＳＩＭカードに交換されることを防止できる。
【００４４】
次に、第２実施形態について説明する。
第１実施形態では、発番サーバ６００がＰＨＳ電番（加入者情報）と３Ｇ電番（確認情報）を携帯端末装置１００に送信する場合について説明したが、第２実施形態では、発番依頼のあった仮電番に対してＰＨＳ電番を送信し、３Ｇ電番については発番したＰＨＳ電番に対してＳＭＳ（ショートメッセージサービス）を利用して送信するものである。
なお、第２実施形態における携帯端末装置１００と発番サーバ６００の構成、及び、携帯端末装置１００におけるセット契約対象確認処理（図６）については、第１実施形態と同様である。
【００４５】
図７は、第２実施形態における発番処理の動作を表したフローチャートである。
この発番処理において、ステップ１０〜ステップ１４までの処理は第１実施形態と同じである。
発番サーバ６００は、ステップ１４で読み出したＰＨＳ電番を、発番を要求してきた仮電番の携帯端末装置１００に対して送信することで、発番通知送信を行う（ステップ２０）。
【００４６】
一方、発番サーバ６００から発番通知がなされた携帯端末装置１００では、第１無線通信部１１０で受信し、制御部１４０の制御のもと、加入者情報制御部１５０がＰＨＳ電番を第１加入者情報記憶部１６２に保存する（ステップ２１）。
以上のＰＨＳ電番の受信が完了すると、携帯端末装置１００と発番サーバ６００は、仮電番による第１通信回線の通信を終了する。
【００４７】
発番サーバ６００は、ステップ１１で受信したＰＳＩＤに関連付けて記憶している３Ｇ電番（確認情報）を確認情報記憶部６４２から読み出す（ステップ２２）。
そして発番サーバ６００は、ＳＭＳサーバ８００に対してＳＭＳ通知依頼を行う（ステップ２３）。すなわち、発番サーバ６００は、読み出した３Ｇ電番（確認情報）を、ステップ２０で送信したＰＨＳ電番宛のショートメッセージとして、ＳＭＳサーバ８００に送信し、処理を終了する。
【００４８】
ＳＭＳサーバ８００では、発番サーバ６００から送信された、ＰＨＳ電番と３Ｇ電番（確認情報）に基づき、ＰＨＳ電番宛の３Ｇ電番付きのＳＭＳを作成し（ステップ２４）、ＳＭＳ通知を行う（ステップ２５）。すなわち、ＳＭＳサーバ８００は、ＰＨＳ電番へ３Ｇ電番付きのＳＭＳ送信を行い、処理を終了する。
【００４９】
一方、携帯端末装置１００は、ステップ２１で第１加入者情報記憶部１６２に記憶したＰＨＳ電番宛のＳＭＳをＳＭＳサーバ８００から受信すると、メッセージである３Ｇ電番を確認情報として確認情報記憶部１６３に保存し（ステップ２６）、携帯端末装置１００における発番処理を終了する。
【００５０】
以上説明したように、この第２実施形態では、確認情報である３Ｇ電番を、発番済みのＰＨＳ電番宛にＳＭＳ送信することにより、ＰＨＳ電番の発番が正常に完了していることを確認することができる。
また、発番サーバはＰＨＳ電番のみの発番通知を行い。３Ｇ電番はＳＭＳサーバから送信しているので、従来のＰＨＳの発番サーバ施設の構成に大きな変更を加えることなく、実現することが可能となる。
【００５１】
以上、本願発明の各実施形態について説明したが、本願発明では説明した実施形態に限定されるものではなく他の構成とすることも可能である。
例えば、説明した実施形態及び変形例では、挿入されているＳＩＭカード１８１がセット契約対象外であるか否かを確認情報で確認し、対象外であると判断された場合に３Ｇ回線による通信を不可にする場合について説明したが、セット契約の対象である第１加入者情報（ＰＨＳ電番）が登録削除（第１加入者情報記憶部１６２からの削除）された場合には、第２加入者情報による通信制限（３Ｇ回線による通信の不可状態）を記憶するようにしてもよい。
【００５２】
また本実施形態及び変形例では、第１加入者網２００がＰＨＳ回線であり、第２加入者網が３Ｇ回線である場合を例に説明したが、共に３Ｇ回線である場合や、３以上の通信回線を対象にすることも可能である。また、通信回線としては、ＰＨＳ回線や、３Ｇ回線だけでなく、４Ｇ回線等の他の回線の場合も適用可能である。
【００５３】
更に、説明した実施形態及び変形例では、携帯端末装置１００における確認情報（３Ｇ電番）の保存は、第１加入者情報（ＰＨＳ電番）の保存の際に行う場合（第１実施形態）、及び、第１加入者情報（ＰＨＳ電番）の発番が完了した後にＳＭＳで送信する場合（第２実施形態）について、すなわち、携帯端末装置１００における発番処理のなかで行われる場合について説明した。
これに対して、携帯端末装置１００に対する発番処理が完了した後、３Ｇ回線による最初の通信がなされる前の、又は３Ｇ回線による最初の通信がなされる際に、確認情報（３Ｇ電番）の確認情報記憶部１６３への保存を行うようにしてもよい。
例えば、ＰＨＳ回線による初回の位置登録時に確認情報（３Ｇ電番）の登録作業を行うようにしてもよい。
すなわち、ＰＨＳ無線機として発番後の最初の基地局への位置登録の動作時に、確認情報（３Ｇ電番）の有無を判定し、確認情報を有してないことが判明した際に、これを元に該当する確認情報（３Ｇ電番）を受け取り記憶するように、初回の位置登録時に、確認情報（３Ｇ電番）の登録作業を行うようにしてもよい。
【００５４】
図８は、本変形例における、ＰＨＳによる初回位置登録時の動作を表したフローチャートである。
なお、図８では、ステップ１０〜１４、ステップ２０〜２２の動作については図７と同一であるためその説明を省略する。
発番サーバ６００は、ステップ１３、１４、２２で読み出したＰＨＳ電番、ＰＳＩＤ、３Ｇ電番をＰＨＳ基地局サーバに送信する（ステップ３０）。
【００５５】
ＰＨＳ基地局サーバは、発番サーバ６００から送信される携帯端末装置１００のＰＨＳ電番とＰＳＩＤと３Ｇ電番とを受信すると、これらを関連付けて記憶部に保存する（ステップ３１）。
【００５６】
携帯端末装置１００では、ＰＨＳ電番の発番が終了した後に、ＰＨＳ回線２００で、ＰＨＳ基地局との間で最初の位置登録動作（通常の位置登録動作の初回）が行われる（ステップ３２）。
一方、ＰＨＳ基地局サーバは、携帯端末装置１００の位置登録を受け付け（ステップ３３）、受け付けた位置登録が最初の位置登録か否かを判断する（ステップ３４）。最初の位置登録か否かについては、携帯端末装置１００のＰＨＳ電番又はＰＳＩＤにより行われ、例えば、ＰＳＩＤ等に対応して最初の位置登録が済んでいるか否かを示すフラグを記憶することにより、判断される。
【００５７】
ＰＨＳ基地局サーバは、位置登録が最初の位置登録でなければ（ステップ３４；Ｎ）、処理を終了し、最初の位置登録であれば（ステップ３４；Ｙ）、携帯端末装置１００に対して３Ｇ電番の有無を問い合わせる（ステップ３５）。
この問い合わせに対して携帯端末装置１００は、３Ｇ電番が確認情報記憶部１６３に登録済みか否かを判断して３Ｇ電番有無の回答をＰＨＳ基地局サーバに送信する（ステップ３６）。
【００５８】
ＰＨＳ基地局サーバは、携帯端末装置１００からの回答が３Ｇ電番有りか否かを判断し（ステップ３７）、有りであれば（ステップ３７；Ｙ）処理を終了する。
一方、回答が３Ｇ電番無しであれば（ステップ３７；Ｎ）、ＰＨＳ基地局サーバは、ステップ３１で記憶した当該携帯端末装置１００に対応する３Ｇ電番を読み出し（ステップ３８）、携帯端末装置１００に送信して（ステップ３９）、処理を終了する。
携帯端末装置１００は、ＰＨＳ基地局サーバから３Ｇ電番を受信すると、当該３Ｇ電番を確認情報として確認情報記憶部１６３に保存し（ステップ４０）、処理を終了する。
【符号の説明】
【００５９】
１００  携帯端末装置
１１０  第１無線通信部
１２０  第２無線通信部
１３０  通話部
１４０  制御部
１５０  加入者情報制御部
１６０  加入者情報記憶部
１６１  ＰＳＩＤ記憶部
１６２  第１加入者情報記憶部
１６３  確認情報記憶部
１７０  加入者情報比較部
１８０  ＳＩＭ情報読取部
１８１  ＳＩＭカード
２００  第１加入者網（ＰＨＳ回線）
４００  第２加入者網（３Ｇ回線）
６００  発番サーバ
６１０  通信部
６３０  加入者情報記憶部
６４０  加入者情報
６４１  第１加入者情報記憶部
６４２  確認情報記憶部
６４３  ＰＳＩＤ記憶部
６５０  加入者情報制御部
７００  店舗端末
８００  ＳＭＳサーバ
【図１】
2015091021.tif 000003
【図２】
2015091021.tif 000004
【図３】
2015091021.tif 000005
【図４】
2015091021.tif 000006
【図５】
2015091021.tif 000007
【図６】
2015091021.tif 000008
【図７】
2015091021.tif 000009
【図８】
2015091021.tif 000010